【事件の表示】
　特許第５８３７３３１号に関する訂正審判事件について、次のとおり審決する。
【結　論】
　特許第５８３７３３１号の特許請求の範囲を本件審判請求書に添付された訂正特許請求の範囲のとおり訂正することを認める。
【理　由】
第１　手続の経緯
　特許第５８３７３３１号に係る発明は、平成２３年５月２４日に特許出願されたものであって、平成２７年１１月１３日に特許権の設定登録がされ、その後平成３０年３月１５日付けで本件審判の請求がされたものである。
第２　請求について
１　請求の趣旨　
　本件審判請求の趣旨は、特許第５８３７３３１号の特許請求の範囲を本件審判請求書に添付した訂正特許請求の範囲のとおり訂正することを認める、との審決を求めるものである。
２　訂正の内容
　本件訂正審判請求に係る訂正（以下、「本件訂正」という。）は、次のとおりである（下線は、本件訂正箇所である。）。
（１）訂正事項１
　請求項１の「前記一の転動体（３）から前記内輪（２）に作用する軸受の周方向への面圧分布と、隣り合う他の転動体（３）から前記内輪（２）に作用する軸受の周方向への面圧分布とをその周方向に沿って重複させ、」との記載を、「前記一の転動体（３）から前記内輪（２）
の内周面
における
の内周面
における
（２）訂正事項２
　請求項１の「前記転動体（３）との接触により前記内輪（２）の軌道面（２ａ）に生じる表面弾性波の発生を抑制する」との記載を、「前記転動体（３）との接触により前記内輪（２）の
内周面
（３）訂正事項３
　請求項２の「前記一の転動体（３）から前記内輪（２）に作用する軸受の周方向への面圧分布と、隣り合う他の転動体（３）から前記内輪（２）に作用する軸受の周方向への面圧分布とをその周方向に沿って重複させ、」との記載を、「前記一の転動体（３）から前記内輪（２）
の内周面
における
の内周面
における
（４）訂正事項４
　請求項２の「前記隣り合う各転動体（３）から前記内輪（２）に作用する軸受の周方向への面圧分布の合計が最大となる位置での」との記載を、「前記隣り合う各転動体（３）から前記内輪（２）
の内周面
における
（５）訂正事項５
　請求項３の「前記一の転動体（３）から前記内輪（２）に作用する軸受の周方向への面圧分布と、隣り合う他の転動体（３）から前記内輪（２）に作用する軸受の周方向への面圧分布とをその周方向に沿って重複させ、」との記載を、「前記一の転動体（３）から前記内輪（２）
の内周面
における
の内周面
における
（６）訂正事項６
　請求項５の「前記一の転動体（３）から前記外輪（１）に作用する軸受の周方向への面圧分布と、隣り合う他の転動体（３）から前記外輪（１）に作用する軸受の周方向への面圧分布とをその周方向に沿って重複させ、」との記載を、「前記一の転動体（３）から前記外輪（１）
の外周面
における
の外周面
における
（７）訂正事項７
　請求項５の「前記転動体（３）との接触により前記外輪（１）の軌道面（１ａ）に生じる表面弾性波の発生を抑制する」との記載を、「前記転動体（３）との接触により前記外輪（１）の
外周面
（８）訂正事項８
　請求項６の「前記一の転動体（３）から前記外輪（１）に作用する軸受の周方向への面圧分布と、隣り合う他の転動体（３）から前記外輪（１）に作用する軸受の周方向への面圧分布とをその周方向に沿って重複させ、」との記載を、「前記一の転動体（３）から前記外輪（１）
の外周面
における
の外周面
における
（９）訂正事項９
　請求項６の「前記隣り合う各転動体（３）から前記外輪（１）に作用する軸受の周方向への面圧分布の合計が最大となる位置での」との記載を、「前記隣り合う各転動体（３）から前記外輪（１）
の外周面
における
（１０）訂正事項１０
　請求項７の「前記一の転動体（３）から前記外輪（１）に作用する軸受の周方向への面圧分布と、隣り合う他の転動体（３）から前記外輪（１）に作用する軸受の周方向への面圧分布とをその周方向に沿って重複させ、」との記載を、「前記一の転動体（３）から前記外輪（１）
の外周面
における
の外周面
における
（１１）訂正事項１１
　請求項９の「前記一の転動体（３）から前記内輪（２）に作用する周方向への面圧分布と、隣り合う他の転動体（３）から前記内輪（２）に作用する周方向への面圧分布とが軸受の周方向に沿って重複させ、」との記載を、「前記一の転動体（３）から前記内輪（２）
の内周面
における
の内周面
における
を
（１２）訂正事項１２
　請求項９の「前記隣り合う各転動体（３）から前記内輪（２）に作用する軸受の周方向への面圧分布の合計が最大となる位置での」という記載を、「前記隣り合う各転動体（３）から前記内輪（２）
の内周面
における
（１３）訂正事項１３
　請求項１０の「前記一の転動体（３）から前記内輪（２）に作用する周方向への面圧分布と、隣り合う他の転動体（３）から前記内輪（２）に作用する周方向への面圧分布とが軸受の周方向に沿って重複させ、」との記載を、「前記一の転動体（３）から前記内輪（２）
の内周面
における
内周面
における
を
（１４）訂正事項１４
　請求項１２の「前記一の転動体（３）から前記外輪（１）に作用する周方向への面圧分布と、隣り合う他の転動体（３）から前記外輪（１）に作用する周方向への面圧分布とを軸受の周方向に沿って重複させ、」との記載を、「前記一の転動体（３）から前記外輪（１）
の外周面
における
の外周面
における
（１５）訂正事項１５
　請求項１２の「前記隣り合う各転動体（３）から前記外輪（１）に作用する軸受の周方向への面圧分布の合計が最大となる位置での」との記載を、「前記隣り合う各転動体（３）から前記外輪（１）
の外周面
における
（１６）訂正事項１６
　請求項１３の「前記一の転動体（３）から前記外輪（１）に作用する周方向への面圧分布と、隣り合う他の転動体（３）から前記外輪（１）に作用する周方向への面圧分布とを軸受の周方向に沿って重複させ、」との記載を、「前記一の転動体（３）から前記外輪（１）
の外周面
における
の外周面
における
第３　当審の判断
１　訂正事項１
（１）訂正の目的
　訂正事項１は、訂正前の請求項１に係る発明において、一の転動体及び他の転動体から作用する面圧分布が内輪と軸との接触面である、内輪の内周面に、しかも、軸受の周方向において生じているものであることが必ずしも明らかでなかったのを、訂正後において明らかにするものである。
　したがって、訂正事項１は、特許法第１２６条第１項ただし書第３号に掲げる、明瞭でない記載の釈明を目的としたものといえる。
（２）新規事項追加の有無及び特許請求の範囲の拡張又は変更の有無
　願書に添付した明細書（以下、「本件明細書」という。）の段落【０１０１】及び【０１０２】と願書に添付した図面（以下、「本件図面」という。）の【図１１】〜【図１４】には、面圧分布が、内輪の内周面に、しかも、軸受の周方向において生じている、すなわち、軸受の周方向におけるものとして生じていることが記載されているといえる。
　したがって、訂正事項１は、願書に添付した明細書、特許請求の範囲又は図面に記載した事項の範囲内においてするものである。
　また、訂正事項１は、発明のカテゴリーや対象、目的を変更するものではないから、実質上特許請求の範囲を拡張し、又は変更する訂正には該当しない。
　よって、訂正事項１は、特許法第１２６条第５項及び第６項の規定に適合するものである。
２　訂正事項２
（１）訂正の目的
　訂正事項２は、訂正前の請求項１に係る発明の「表面弾性波」が「内輪（２）の軌道面（２ａ）に」生じていたものを、訂正後において、「内輪（２）の内周面に」生じているものとすべく訂正するものである。
　請求項１に係る発明は、本件明細書段落【０００６】、【０００７】及び【００２９】等の記載内容からすれば、内輪と軸との間のクリープ現象を抑制する課題を解決することを目的とするものである。そして、クリープ現象の原因である表面弾性波が内輪の内周面に発生していることが、本件明細書段落【０１１６】〜【０１２０】及び本件図面【図８】〜【図１０】に記載されている。
　したがって、訂正前の請求項１に係る発明の「表面弾性波」は「内輪（２）の軌道面（２ａ）に」生じているものではなく、「内輪（２）の内周面に」生じているものであることは自明であり、訂正前の「軌道面（２ａ）」が、本来「内周面」の誤記であることは明らかである。
　したがって、訂正事項２は、特許法第１２６条第１項ただし書第２号に掲げる、誤記の訂正を目的としたものといえる。
（２）新規事項追加の有無及び特許請求の範囲の拡張又は変更の有無
　上記（１）で述べたとおり、「表面弾性波」が「内輪（２）の内周面に」生じているものであることは、本件明細書及び本件図面に記載されていたといえるし、「前記転動体（３）との接触により前記内輪（２）の内周面に生じる表面弾性波の発生を抑制する」と訂正することによって、発明のカテゴリーや対象、目的を変更するものではない。
　したがって、訂正事項２は、願書に添付した明細書、特許請求の範囲又は図面に記載した事項の範囲内においてするものであり、かつ、実質上特許請求の範囲を拡張し、又は変更する訂正には該当しない。
　よって、訂正事項２は、特許法第１２６条第５項及び第６項の規定に適合するものである。
３　訂正事項３及び５
　訂正事項３及び５は、訂正事項１と実質的に同じ内容である。
　したがって、上記１（１）で述べたのと同様の理由により、訂正事項３及び５は、特許法第１２６条第１項ただし書第３号に掲げる、明瞭でない記載の釈明を目的としたものといえる。
　また、上記１（２）で述べたのと同様に理由により訂正事項３及び５は、特許法第１２６条第５項及び第６項の規定に適合するものである。
４　訂正事項４及び１２
（１）訂正の目的
　訂正事項４及び１２は、請求項２あるいは９に係る発明において、「面圧分布の合計が最大となる位置」に関し「面圧分布」が、訂正前では、内輪と軸との接触面である、内輪の内周面に、しかも、軸受の周方向において生じているものであることが必ずしも明らかでなかったのを、訂正後において明らかにするものである。　
　したがって、訂正事項４及び１２は、特許法第１２６条第１項ただし書第３号に掲げる、明瞭でない記載の釈明を目的としたものといえる。
（２）新規事項追加の有無及び特許請求の範囲の拡張又は変更の有無
  訂正事項４及び１２は、請求項２あるいは９に係る発明の「面圧分布」が内輪の内周面に、しかも、軸受の周方向において生じるものであることを明らかにするという点では訂正事項１と同じである。したがって、上記１（２）で述べたのと同様の理由により、訂正事項４及び１２に係る訂正は、特許法第１２６条第５項及び第６項の規定に適合するものである。
５　訂正事項１１及び１３
　訂正事項１１及び１３のうち、訂正前の「面圧分布とが」を、訂正後の「面圧分布とを」とする訂正（以下、「この訂正」という。）は、その内容から見て、本来「面圧分とを」と記載すべきを誤って「面圧分とが」と記載したことが明らかである。
　したがって、この訂正は、特許法第１２６条第１項ただし書第２号に掲げる、誤記の訂正を目的としたものといえる。
　また、この訂正が、いわゆる新規事項の追加に該当するものではなく、また、特許請求の範囲の拡張又は変更をするものに該当しないことは明らかである。
　訂正事項１１及び１３のうち、この訂正の以外の訂正は、訂正事項１と実質的に同じ内容であるから、訂正事項１１及び１３に係る訂正は、特許法第１２６条第１項ただし書第３号に掲げる、明瞭でない記載の釈明を目的としたものともいえ、また、上記１（２）のとおり、いわゆる新規事項の追加に該当するものではなく、また、特許請求の範囲の拡張又は変更をするものに該当しない
　したがって、訂正事項１１及び１３は、特許法第１２６条第１項ただし書第２号及び第３号に掲げる事項を目的とし、また、特許法第１２６条第５項及び第６項の規定に適合するものである。
　
６　訂正事項６
（１）訂正の目的
　訂正事項６は、 訂正前の請求項５に係る発明において、一の転動体及び他の転動体から外輪に作用する面圧分布が外輪とハウジングとの接触面である、外輪の外周面に、しかも、軸受の周方向において生じているものであることが必ずしも明らかでなかったのを、訂正後において明らかにするものである。
　したがって、訂正事項６は、特許法第１２６条第１項ただし書第３号に掲げる、明瞭でない記載の釈明を目的としたものといえる。
（２）新規事項追加の有無及び特許請求の範囲の拡張又は変更の有無
　本件明細書の段落【００２９】には「上記の構成、内輪と軸とのクリープ現象の抑制のみならず、外輪とハウジングとの間のクリープ現象の発生の抑制に関しても、採用することができる。」と記載され、また、本件明細書の段落【０１０９】には「さらに、外輪１とハウジングＨとのクリープ現象の発生に関し、クリープ抑制仕様を設計する場合には、上記外輪１と内輪２の設定条件を逆にすればよい。」と記載されていることから、本件明細書及び本件図面には、面圧分布が外輪とハウジングとの接触面である、外輪の内周面に、しかも、軸受の周方向において生じているものも実質的に記載されていたといえる。
　よって、訂正事項６は、願書に添付した明細書、特許請求の範囲又は図面に記載した事項の範囲内においてするものである。
　また、訂正事項６は、発明のカテゴリーや対象、目的を変更するものではないから、実質上特許請求の範囲を拡張し、又は変更する訂正には該当しない。
　したがって、訂正事項６は、特許法第１２６条第５項及び第６項の規定に適合するものである。
７　訂正事項７
（１）訂正の目的
　訂正事項７は、訂正前の請求項５に係る発明の「表面弾性波」が「外輪（１）の軌道面（１ａ）に」生じていたものを、訂正後においては、「外輪（１）の外周面に」生じているものとすべく訂正するものである。
　ここで、上記２（１）及び６（２）で述べたことを踏まえれば、訂正前の請求項５に係る発明の「表面弾性波」は「外輪（１）の軌道面（１ａ）に」生じているものではなく、「外輪（１）の外周面に」生じているものであることは自明であるから、訂正前の「軌道面（１ａ）」が、本来「外周面」の誤記であることは明らかである。
　したがって、訂正事項７は、特許法第１２６条第１項ただし書第２号に掲げる、誤記の訂正を目的としたものといえる。
（２）新規事項追加の有無及び特許請求の範囲の拡張又は変更の有無
　上記（１）及びそこで引用される上記６（２）で述べたとおり、表面弾性波が「外輪（１）の外周面に」生じていることは、本件明細書及び本件図面から自明な事項である。またこの訂正によって、発明のカテゴリーや対象、目的を変更するものではない。
　したがって、訂正事項７は、願書に添付した明細書、特許請求の範囲又は図面に記載した事項の範囲内においてするものであり、かつ、実質上特許請求の範囲を拡張し、又は変更する訂正には該当しない。
　よって、訂正事項７は、特許法第１２６条第５項及び第６項の規定に適合するものである。
８　訂正事項８、１０、１４及び１６
　訂正事項８、１０、１４及び１６は、訂正事項６と実質的に同じ内容である。
　したがって、上記６（１）で述べたのと同様の理由により、訂正事項８、１０、１４及び１６は、特許法第１２６条第１項ただし書第３号に掲げる、明瞭でない記載の釈明を目的としたものといえる。
　また、上記６（２）で述べたのと同様の理由により訂正事項８、１０、１４及び１６は、特許法第１２６条第５項及び第６項の規定に適合するものである。
　
９　訂正事項９及び１５について
（１）訂正の目的
　訂正事項９及び１５は、請求項６あるいは１２に係る発明において、「面圧分布の合計が最大となる位置」に関し「面圧分布」が、訂正前では、外輪とハウジングとの接触面である、外輪の外周面に、しかも、軸受の周方向において生じているものであることが必ずしも明らかでなかったのを、訂正後において明らかにするものである。　
　したがって、訂正事項９及び１５は、特許法第１２６条第１項ただし書第３号に掲げる、明瞭でない記載の釈明を目的としたものといえる。
（２）新規事項追加の有無及び特許請求の範囲の拡張又は変更の有無
  訂正事項９及び１５は、請求項６あるいは１２に係る発明の「面圧分布」が外輪の外周面に、しかも、軸受の周方向において生じるものであることを明らかにするという点では訂正事項６と同じ内容である。　
　したがって、上記６（２）で述べたのと同様の理由により、訂正事項９及び１５は、特許法第１２６条第５項及び第６項の規定に適合するものである。
１０　独立特許要件
　上記のとおり、訂正事項２、７、１１及び１３は、誤記の訂正を目的とするもの、あるいは、誤記の訂正を目的とするものを含むものであるから、訂正事項２、７、１１及び１３に係る訂正後の特許請求の範囲の請求項１、請求項５、請求項９及び請求項１０に記載されている事項により特定される発明（以下、これらをまとめて「本件訂正発明」という。）は特許出願の際独立して特許を受けることができるものでなければならない。
　そこでこの点について検討するに、上記２、５及び７で述べたとおり、訂正事項２、７、１１及び１３は、実質的な発明の内容の変更を伴うものではない。そして、本件訂正発明について特許査定された事情を変更すべき新たな事由を形成するものは現時点では見当たらない。
　したがって、本件訂正発明については特許出願の際独立して特許を受けることができないとする理由を発見しない。
　よって、訂正事項２、７、１１及び１３は特許法第１２６条第７項の規定に適合する。
第４　むすび
　以上のとおりであるから、本件訂正審判の請求は、特許法第１２６条第１項ただし書第２号又は第３号に掲げる事項を目的とし、かつ、同条第５項ないし第７項の規定に適合するものである。
　よって、結論のとおり審決する。